(57)【特許請求の範囲】
【請求項１】
ウェットティッシュ容器を収納する収納箱と、この収納箱の開口部を覆う蓋体と、ウェットティッシュを加熱する加熱手段と、ウェットティッシュに薬液を補充する薬液補充手段とを備え、蓋体の中央部に開閉可能にティッシュ取り出し口蓋が設けられ、このティッシュ取り出し口蓋に薬液補充手段取付け口が形成され、この薬液補充手段取付け口に前記薬液補充手段が設けられていることを特徴とするウェットティッシュの加熱装置。
【請求項２】
薬液補充手段は、薬液が充填される薬液リザーバと、この薬液リザーバからの薬液をウェットティッシュへ伝える薬液伝達管とを備えていることを特徴とする請求項１記載のウェットティッシュの加熱装置。
【請求項３】
薬液補充手段は、薬液が充填される薬液リザーバと、薬液の注入量を制御するための薬液注入弁とを備えていることを特徴とする請求項１記載のウェットティッシュの加熱装置。
【請求項４】
薬液補充手段は、リング形状を呈していることを特徴とする請求項１記載のウェットティッシュの加熱装置。
【請求項５】
薬液補充手段には、ティッシュ取り出し口蓋の薬液補充手段取り付け口からの抜け落ちを防止するリブが放射方向に突出成形されていることを特徴とする請求項１〜３のいずれか１項記載のウェットティッシュの加熱装置。
【請求項６】
ウェットティッシュ容器を収納する収納箱と、ティッシュ取り出し口を備えたヒータープレートと、前記ウェットティッシュに薬液を補充するための薬液補充手段とを有するウェットティッシュの加熱装置において、前記ヒータープレートの一部にティッシュ取り出し蓋を枢着させ、前記ヒータープレートのヒーターの上面を断熱材で覆ったことを特徴とするウェットティッシュの加熱装置。
【請求項７】
ウェットティッシュに薬液を供給する薬液供給部であって、この薬液供給部は、ドーナッツ形状を呈する薬液補充パックであり、該薬液補充パックは、孔が設けられた薬液伝達管と薬液リザーバとから成り、該薬液リザーバに所定の薬液を充填すると、該薬液は毛細管現象によって前記薬液伝達管を伝わって該薬液伝達管に設けられた孔を貫通してウェットティッシュに薬液が浸透することにより、ウェットティッシュの乾燥を防止し、かつ前記薬液供給部は、ティッシュ取り出し口蓋の薬液補充パック取り付け口から抜け落ちることを防止する幅のリブが放射方向に突出するように形成されていることを特徴とするウェットティッシュ用の薬液供給部。
【請求項８】
ウェットティッシュ容器を収納する収納箱と、この収納箱の開口部を覆う蓋体と、ウェットティッシュを加熱する加熱手段と、前記ウェットティッシュに薬液を補充するための薬液補充手段と、前記ウェットティッシュの湿り度を検出する湿り度検出装置とを備えていることを特徴とするウェットティッシュの加熱装置。
【請求項９】
湿り度検出装置は、湿度センサであることを特徴とする請求項８記載のウェットティッシュの加熱装置。
【請求項１０】
湿り度検出装置は、ウェットティッシュの導電抵抗を測定する導電測定器具であることを特徴とする請求項８記載のウェットティッシュの加熱装置。
【請求項１１】
薬液補充手段は、薬液が充填される薬液リザーバと、薬液の注入量を制御するための薬液注入弁とを備えていることを特徴とする請求項８〜１０のいずれか１項記載のウェットティッシュの加熱装置。
【請求項１２】
薬液注入弁の開閉を制御する薬液注入弁開閉制御回路が設けられ、この薬液注入弁開閉制御回路の制御により薬液リザーバに充填されている薬液をウェットティッシュに向けて適宜滴下することを特徴とする請求項１１記載のウェットティッシュの加熱装置。
【請求項１３】
ウェットティッシュを収納する収納箱と、この収納箱を覆う蓋体と、上記ウェットティッシュを加熱する加熱手段と、上記収納箱内に備えられたウェットティッシュ容器の底面に密着する密着板と、上記収納箱の底部と上記密着板との間に介在されるとともに、上記密着板を昇降させる昇降部材と、ウェットティッシュ容器の厚みを検出してウェットティッシュの残量を検知する残量センサとを備えていることを特徴とするウェットティッシュの加熱装置。
【請求項１４】
残量センサは、光センサ又は超音波センサであることを特徴とする請求項１３記載のウェットティッシュの加熱装置。
【請求項１５】
残量センサは、リミットスイッチであることを特徴とする請求項１３記載のウェットティッシュの加熱装置。
【請求項１６】
加熱手段にはリレーが接続され、このリレーはリミットスイッチでＯＮ／ＯＦＦ切換えされることを特徴とする請求項１５記載のウェットティッシュ加熱装置。
【請求項１７】
ウェットティッシュ容器を収納する収納箱と、この収納箱に着脱可能に設けられるとともに、ウェットティッシュを加熱する加熱手段と、この加熱手段への電流の接続、遮断制御する制御部とを備え、この制御部は、上記加熱手段が上記収納箱に装着された際に接続され、上記加熱手段が上記収納箱から外れた際に遮断するように制御することを特徴とするウェットティッシュの加熱装置。
【請求項１８】
ウェットティッシュ容器を収納する収納箱と、この収納箱に着脱可能に設けられるとともに、ウェットティッシュを加熱する加熱手段とを備え、電源に加熱手段とリレーとの直列回路が接続され、また、直流電源に前記リレーをＯＮ／ＯＦＦするためのプッシュスイッチと抵抗との別の直列回路が接続され、かつ、前記プッシュスイッチがオンになると前記リレーがクローズするようにしたことことを特徴とするウェットティッシュの加熱装置。
【請求項１９】
プッシュスイッチが前記加熱手段の側面に設置されたことを特徴とする請求項１８記載のウェットティッシュの加熱装置。
【請求項２０】
ウェットティッシュを収納する収納箱と、この収納箱を覆う蓋体と、上記ウェットティッシュを加熱する加熱手段と、この加熱手段の温度を検出する温度検出部と、電源のＯＮ／ＯＦＦ制御を行なう制御部と、各部材を必要に応じて電気的に接続する電線とを備え、少なくとも上記温度検出部と、上記制御部と、上記電線とは充填剤で被覆されていることを特徴とするウェットティッシュの加熱装置。
【請求項２１】
ウェットティッシュ容器を収納する収納箱を備え、該収納箱に収納された前記ウェットティッシュ容器の上に直接載置され、その自重で前記ウェットティッシュ容器に押し当てられるるとともに前記ウェットティッシュを加熱するためのヒータープレートを備えたことを特徴とするウェットティッシュの加熱装置。
【請求項２２】
ヒータープレートの開口部を開閉自在に覆うシール状のフタを前記ヒータープレートに備えたことを特徴とする請求項２１記載のウェットティッシュの加熱装置。
【請求項２３】
ヒータープレートの重量を変えることによりヒータープレートとその下に位置するウェットティッシュ容器との間の密着力を調整することを特徴とする請求項２１又は２２記載のウェットティッシュの加熱装置。
【請求項２４】
ウェットティッシュ容器のウェットティッシュ取り出し側にヒータープレートを固定する固定部材が設けられ、前記固定部材は、ヒータープレートが挿入されるポケット構造を備えたものでありることを特徴とする請求項２１記載のウェットティッシュの加熱装置。
【発明の詳細な説明】
【０００１】
【発明の属する技術分野】
本発明は、ウェットティッシュの使用時に乳幼児や病人などの肌の敏感な人に与えるヒヤリとした冷たい不快感を取り除くために、ウェットティッシュを加熱し、しかもその加熱効率のよいウェットティッシュの加熱装置に関する。
【０００２】
【従来の技術】
従来、布おしぼりの代用品として、お手拭き用、キッチン用、トイレ掃除用、乳幼児や病人のお尻拭き用などの、使い捨てタイプのウェットティッシュが幅広く使用されている。また、このような使い捨てタイプのウェットティッシュの容器には、大別して、ボトルタイプ（円筒型）、ボックスタイプ（箱型）及びビニール袋タイプの３種類が主に使用されている。
【０００３】
特に、乳幼児や病人のお尻拭き用のウェットティッシュを冬季等の気温の低い時期に使用する場合には、ウェットティッシュの温度が低いために、使用時に乳幼児や病人に不快感を与えてしまうことがあった。
【０００４】
この問題を解決するための手段として、実開平４−１０４９９０号公報及び実開平４−１１２０７１号公報に開示されたボトルタイプのウェットティッシュにヒータを設けて加熱する装置がある。
【０００５】
【発明が解決すべき課題】
一方、両公報に開示された加熱装置は、使用するウェットティッシュがロールの中央に位置するにもかかわらず、実開平４−１０４９９０号公報においてはウェットティッシュのロールの外周面からの加熱を、また、実開平４−１１２０７１号公報においてはウェットティッシュのロールの底面からの加熱を行うといったいずれもボトルタイプの容器全体を温める方式であり加熱及び電気効率が低いものであり、さらに、ボックスタイプやビニール袋タイプの容器に収容されたウェットティッシュの加熱には使用できなかった。
【０００６】
そこで、本発明の目的は、上記課題を解決することにあり、ボックスタイプやビニール袋タイプの容器に収容されたウェットティッシュを加熱することができるもので、しかも、その際ウェットティッシュの少なくとも一部を加熱し、使用されるウェットティッシュを効率よく加熱する加熱装置を提供することである。
【０００７】
【課題を解決するための手段】
本発明の上記目的は、積層されたウェットティッシュを収容し且つ前記ウェットティッシュの取り出し開口を具備するウェットティッシュ収容部材と、前記収容部材の取り出し開口が設けられた面に密着されて前記積層されたウェットティッシュのうち最先取り出し順位のウェットティッシュを重点的に加熱するための加熱手段とを備えるウェットティッシュの加熱装置により達成される。
【０００８】
本発明の上記構成により、ボックスタイプやビニール袋タイプの容器に収容されたウェットティッシュの少なくとも一部を加熱することが可能となる。
【０００９】
また、ボックスタイプやビニール袋タイプの容器に収容されたウェットティッシュの少なくとも一部を加熱手段に向かって押圧する押圧手段をさらに設けることで、該押圧手段の押圧力によりウェットティッシュを該加熱手段と圧着させながら加熱する構成とすることにより、次に使用される積層最上段近傍のウェットティッシュのみを加熱することが可能となる。
【００１０】
【発明の実施の形態】
〔実施の形態１〕
図１は、本発明のウェットティッシュの加熱装置の第１実施の形態の横断面図であり、図２は、上記実施の形態の要部分解斜視図である。加熱装置の本体Ａは、図示せぬウェットティッシュを収容する可撓性を有するウェットティッシュ容器１４を収納する収納箱２と、ウェットティッシュを加熱するヒータープレート１００と、収納箱２の開口部を覆う蓋体１より構成されている。該ヒータープレート１００は、断熱材１０、ヒーター４、金属板１０４より構成されている。
【００１１】
なお、本実施の形態におけるウェットティッシュは、１枚を取り出すと、次の１枚の一部が取り出し易い状態になるようなポップアップ方式のものでなく、ポケットティッシュのような、１枚取り出すと元の状態に戻るように周知の方法により積層されているタイプのものである。ヒーター４、断熱材１０及び金属板１０４よりなるヒータープレート１００の中央部には、ティッシュ取り出し口３２に連通する開口部が設けられており、加熱装置の本体Ａに収納されたウェットティッシュ（図示せず）の取り出し通路を形成している。また、蓋体１の中央部には、クローズ状態においてティッシュ取り出し口３２を密閉でき、かつ、オープン状態においてウェットティッシュ（図示せず）を取り出すことができるよう、開閉動作可能に蓋体の一部に枢着されたティッシュ取り出し口蓋３が設けられている。さらに、ウェットティッシュ（図示せず）に薬液を補充するための薬液補充パック２０が、ティッシュ取り出し口蓋３の中央の薬液補充パック取り付け口３ａに嵌合されている。
【００１２】
薬液補充パック２０は、薬液リザーバ２１と薬液伝達管２２とから成る。薬液リザーバ２１に所定の薬液を充てんすると、薬液は毛細管現象によって薬液伝達管２２を伝わってウェットティッシュへと浸透する。この作用によって、ウェットティッシュに適宜薬液を補充し、ウェットティッシュの乾燥を防止することができる。また、薬液補充パック２０には、ティッシュ取り出し口蓋３の薬液補充パック取り付け口３ａから抜け落ちることを防止するための半径方向に突出するリブ２０ａが設けられている。
【００１３】
ヒーター４は、例えばＰＴＣヒーターから構成されており、自己温度制御機能によってほぼ一定温度に保つようになっている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。
【００１４】
図３は、本実施の形態におけるヒータープレート１００の電気回路の一例を示すものであり、ヒューズ６、ヒーター４が直列に接続されており、電源プラグ７より電流が供給されている。ヒーター４がマイカ・ヒーターなどの自己温度制御機能を持たないヒーターの場合は、温度制御をおこなうためにサーモスタット５などを追加して直列接続する必要がある。上記電流回路のヒューズ６及びヒーター４は、電源コード７ａを介して電源プラグ７と接続されている。
【００１５】
ウェットティッシュは、１枚１枚層状に積み重ねられており、上方からヒーター４にて加熱されるので、ウェットティッシュ取り出し口蓋３に最も隣接する上の層から下の層に向かって熱が伝わっていくことになる。従って、次に使用される最上層のウェットティッシュが最もよく加熱されることになる。一度に使用されるウェットティッシュが、例えば、５枚だとすれば、上から５層分までが所望の温度に加熱されていればよい。このような構造にすることによって、必要な分のウェットティッシュだけを加熱すればよいので、効率的であり、消費電力も少なくてすむ。
【００１６】
さらに、収納箱２内には、スポンジ９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このスポンジ９は、ウェットティッシュ容器１４を収納箱２に収納する際に、密着板８を介して圧縮変形され、収納箱２に収容されたウェットティッシュ容器１４を、圧縮変形されたスポンジ９の反発力によりヒーター４を内設する蓋体１の方向に押圧する。ウェットティッシュ容器１４を収納箱２に収納する際に、ウェットティッシュ容器１４を収納箱２に押し込むと、密着板８が押し下げられ、スポンジ９が収縮する。スポンジ９の弾性力によりウェットティッシュ容器１４が収納箱２より飛び出すのを防ぐよう蓋体１を上に載せて収納箱２を密閉する。この際にウェットティッシュ容器１４は、ヒーター４を内設する蓋体１と密着板８との間に挟持される。
【００１７】
図４は、上記第１実施の形態の変形例である加熱装置の本体Ａ’の横断面図であり、上記第１実施の形態において使用されたウェットティッシュ容器１４を蓋体１と密着板８との間に挟持するための弾性部材となるスポンジ９に代えてコイルスプリング１０９を使用したものである。なお、上記第１実施の形態及び上記変形例で示したスポンジ９やコイルスプリング１０９に代えてリーフスプリング、ゴム等の弾性体を使用することも可能である。
【００１８】
さらに、図５は、上記第１実施の形態のさらなる変形例である加熱装置の本体Ａ”の上記実施の形態の要部分解斜視図である。加熱装置の本体Ａ”は、上記第１実施の形態におけるティッシュ取り出し蓋３を蓋体１に代えてヒータープレート１００の金属板１０４の一部に枢着させ、蓋体１を省いたものである。また、ヒータープレート１００のヒーター４の上面は、人が触っても熱くないように断熱材１０（図示せず）で覆った構成としている。
【００１９】
なお、本発明における薬液補充パック２０を支持するティッシュ取り出し蓋３は、ウェットティッシュ取出口３２を開閉できるものであればよく、その取り付け位置は蓋体１や金属板１０４に限らず、断熱材１０やヒーター４に枢着するものであってもよい。
〔実施の形態２〕
図６は、本発明のウェットティッシュの加熱装置の第２実施の形態の横断面図である。
【００２０】
加熱装置の本体Ｂは、ウェットティッシュ１３を収容する可撓性を有するウェットティッシュ容器１４を収納する収納箱２と、ウェットティッシュ１３を加熱するヒータープレート１００と、収納箱２の開口部を覆う蓋体１より構成されている。該ヒータープレート１００は、断熱材１０、ヒーター４、金属板１０４より構成されている。
【００２１】
なお、本実施の形態におけるウェットティッシュ１３は、１枚を取り出すと、次の１枚の一部が取り出し易い状態になるようなポップアップ方式で、周知の方法により積層されているタイプのものである。ヒーター４、断熱材１０及び金属板１０４よりなるヒータープレート１００の中央部には、ティッシュ取り出しのための開口部が設けられており、加熱装置の本体Ｂに収納されたウェットティッシュ１３の取り出し通路を形成している。また、蓋体１の中央部のティッシュ取り出し口３２には、ウェットティッシュ１３に薬液を補充するための薬液補充パック１２０が図示せぬ嵌合、係止もしくは接着手段等を介して固定されている。薬液補充パック１２０は、ドーナッツ形状をなしており、ティッシュ取り出し口３２に連通する孔１２０ａが中央部に設けられている。
【００２２】
薬液補充パック１２０は、薬液リザーバ１２１と孔１２０ａが設けられた薬液伝達管１２２とから成る。薬液リザーバ１２１に所定の薬液を充てんすると、薬液は毛細管現象によって薬液伝達管１２２を伝わって、円筒状の薬液伝達管１２２に設けられた孔１２０ａを貫通して飛び出したウェットティッシュ１３に薬液が浸透する。この作用によって、ウェットティッシュ１３に適宜薬液を補充し、ウェットティッシュ１３の乾燥を防止することができる。
【００２３】
ヒーター４は、例えばＰＴＣヒーターから構成されており、自己温度制御機能によってほぼ一定温度に保つようになっている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。
【００２４】
ウェットティッシュは、１枚１枚層状に積み重ねられており、上方からヒーター４にて加熱されるので、ウェットティッシュ取り出し口蓋３に最も隣接する上の層から下の層に向かって熱が伝わっていくことになる。従って、次に使用される最上層のウェットティッシュが最もよく加熱されることになる。一度に使用されるウェットティッシュが、例えば、５枚だとすれば、上から５層分までが所望の温度に加熱されていればよい。このような構造にすることによって、必要な分のウェットティッシュだけを加熱すればよいので、効率的であり、消費電力も少なくてすむ。
【００２５】
さらに、収納箱２内には、スポンジ９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このスポンジ９は、ウェットティッシュ容器１４を収納箱２に収納する際に、密着板８を介して圧縮変形され、収納箱２に収容されたウェットティッシュ容器１４を、圧縮変形されたスポンジ９の反発力によりヒーター４を内設する蓋体１の方向に押圧する。ウェットティッシュ容器１４を収納箱２に収納する際に、ウェットティッシュ容器１４を収納箱２に押し込むと、密着板８が押し下げられ、スポンジ９が収縮する。スポンジ９の弾性力によりウェットティッシュ容器１４が収納箱２より飛び出すのを防ぐよう蓋体１を上に載せて収納箱２を密閉する。この際にウェットティッシュ容器１４は、ヒーター４を内設する蓋体１と密着板８との間に挟持される。
【００２６】
なお、上記第２実施の形態スポンジ９に換えてコイルスプリング、リーフスプリング、ゴム等の弾性体を使用することも可能である。また、前記第１実施の形態のさらなる変形例の加熱装置の本体Ａ”に見られるように、蓋体１を省き、ヒータープレート１００に直接的に薬液補充パック１２０を取り付ける構成に変形することも可能である。
〔第３実施の形態〕
図７及び図８は、本発明のウェットティッシュの加熱装置の第３実施の形態の横断面図およびヒーター部の上面図である。
【００２７】
加熱装置の本体Ｃは、可撓性を有するウェットティッシュ容器１４に収容されたウェットティッシュ（図示せず）を収納する収納箱２と、収納箱２の開口部を覆う蓋体１より構成されている。なお、本実施の形態におけるウェットティッシュ（図示せず）は、１枚を取り出すと、次の１枚の一部が取り出し易い状態になるようなポップアップ方式のものでなく、ポケットティッシュのように再び元の状態に戻るようなタイプで、周知の方法により積層されているタイプのものである。
【００２８】
蓋体１は、外蓋体１′と、断熱材１０と、ヒーター４と、内蓋体１″とを積層することにより構成されている。断熱材１０、ヒーター４と、内蓋体１″の各中央部には、外蓋体１′の中央部に設けられたティッシュ取り出し口３２に連通する開口部が設けられており、加熱装置の本体１００に収納されたウェットティッシュの取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュを取り出すことができるよう、開閉動作可能に外蓋体１′の一部に枢着されたティッシュ取り出し口蓋３が設けられている。
【００２９】
ティッシュ取り出し口蓋３の裏側、即ち本体Ｃの内側、には、薬液還元用テーパ３１が設けられており、蒸発して結露した薬液がウェットティッシュ容器１４へ再び滴下されるようになっている。ヒーター４は、例えばマイカ・クロム・ヒーターから構成されており、バイメタルスイッチ５により温度制御を行い、ほぼ一定温度に保つようにしている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。また、温度制御を行う温度スイッチとして、バイメタルスイッチ５に換えて、サーモスタット、もしくは、同等の温度制御を行う電子回路を使用することも可能である。ヒーター４として例えばＰＴＣヒーターのように自己温度制御機能を持ったものを使用すれば、バイメタルスイッチは不要である。さらに、外蓋体１′として、断熱材１０の機能を兼ねるものを使用することで、断熱材１０を省く構成とすることも可能である。
【００３０】
収納箱２内には、２つのコイルスプリング１０９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このコイルスプリング１０９は、ウェットティッシュ容器１４を収納箱２に収納する際に、密着板８を介して圧縮変形され、収納箱２に収容されたウェットティッシュ容器１４を、圧縮変形されたコイルスプリング１０９の反発力によりヒーター４を内設する蓋体１の方向に押圧する。ウェットティッシュ容器１４を収納箱２に収納する際に、ウェットティッシュ容器１４を収納箱２に押し込むと、密着板８が押し下げられ、コイルスプリング１０９が収縮する。コイルスプリング１０９の弾性力によりウェットティッシュ容器１４が収納箱２より飛び出すのを防ぐよう蓋体１を上に載せて収納箱２を密閉する。この際にウェットティッシュ容器１４は、ヒーター４を内設する蓋体１と密着板８との間に挟持される。
【００３１】
ウェットティッシュは、１枚１枚層状に積み重ねられており、上方からヒーター４にて加熱されるので、ウェットティッシュ取り出し口蓋３に最も隣接する上の層から下の層に向かって熱が伝わっていくことになる。従って、次に使用される最上層のウェットティッシュが最もよく加熱されることになる。
〔第４実施の形態〕図９及び図１０は、本発明のウェットティッシュの加熱装置の第４実施の形態の横断面図およびヒーター部の上面図である。
【００３２】
加熱装置の本体Ｄは、可撓性を有するウェットティッシュ容器１４に収容されたウェットティッシュ１３を収納する収納箱２と、収納箱２の開口部を覆う蓋体１より構成されている。なお、本実施の形態におけるウェットティッシュ１３は、１枚を取り出すと、次の１枚の一部が取り出し易い状態になるポップアップされるように周知の方法により積層されているタイプのものである。
【００３３】
蓋体１は、外蓋体１′と、断熱材１０と、ヒーター４と、内蓋体１″とを積層することにより構成されている。断熱材１０と、ヒーター４と、内蓋体１″の各中央部には、外蓋体１′の中央部に設けられたティッシュ取り出し口３２に連通する開口部が設けられており、加熱装置の本体Ｄに収納されたウェットティッシュ１３の取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュ１３を取り出すことができるよう、開閉動作可能に外蓋体１′の一部に枢着されたティッシュ取り出し口蓋３が設けられている。
【００３４】
ヒーター４は、例えばマイカ・クロム・ヒーターから構成されている。収納箱２内には、２つのコイルスプリング１０９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このコイルスプリング１０９は、ウェットティッシュ容器１４を収納箱２に収納する際に、密着板８を介して圧縮変形され、収納箱２に収容されたウェットティッシュ容器１４を、圧縮変形されたコイルスプリング１０９の反発力によりヒーター４を内設する蓋体１の方向に押圧する。  ウェットティッシュ容器１４を収納箱２に収納する際に、ウェットティッシュ容器１４を収納箱２に押し込むと、密着板８が押し下げられ、コイルスプリング１０９が収縮する。コイルスプリング１０９の弾性力によりウェットティッシュ容器１４が収納箱２より飛び出すのを防ぐよう蓋体１を上に載せて収納箱２を密閉する。この際にウェットティッシュ容器１４は、ヒーター４を内設する蓋体１と密着板８との間に挟持される。
【００３５】
ウェットティッシュは、１枚１枚層状に積み重ねられており、上方からヒーター４にて加熱されるので、ウェットティッシュ取り出し口蓋３に最も隣接する上の層から下の層に向かって熱が伝わっていくことになる。従って、次に使用される最上層のウェットティッシュが最もよく加熱されることになる。図１１及び図１２は、上記第４実施の形態における加熱手段の電気回路の一例を示すブロック図および電源制御の一例を示したタイムチャートである。
【００３６】
電源プラグ７より制御回路４２に電流が供給されており、電源コード１１の一部に直列にヒューズ６が接続されている。制御回路４２には温度センサ４１およびヒーター４ａ，４ｂが接続されている。この例では、２つのヒーターを用いたが、ヒーターの数は必ずしも２つに限定されるものではない。ここで温度センサ４１には、所定の温度に上がるとヒーター４をオフにし、所定の温度に下がるとヒーター４をオンにするような例えばバイメタルスイッチやサーモスタットが好適に使用できる。この時の制御回路４２は、温度センサ４１、ヒーター４、ヒューズ６とが回路に直列に接続されるようなものとなる。ヒューズ６は、電源プラグ７とヒーター４との間に設けられ、ヒーター４に過電流が流れるのを防止する。
【００３７】
ヒーター４に電流が供給されると、ヒーター４は加熱され温度が上昇する。この温度が温度センサ４１で検出され、あらかじめ定められた設定値１に達するとヒーターの電源がオフとなる。すると次第に温度が下がってくるが、温度があらかじめ定められた設定値２まで下がると再びヒーターの電源がオンとなり、加熱が再開される。この動作を繰り返すことにより、ほぼ一定の温度が保たれる。
【００３８】
この例では、制御回路４２として各々の素子を接続するだけの最も簡単な例を用いたが、電子回路で構成することによってより複雑な制御をおこなうことも可能である。
〔第５実施の形態〕
図１３および図１４は、本発明のウェットティッシュの加熱装置の第５実施の形態の横断面図およびヒーター部の上面図である。
【００３９】
加熱装置の本体Ｅは、可撓性を有するウェットティッシュ容器１４に収容されたウェットティッシュ１３を収納する収納箱２と、収納箱２の開口部を覆う蓋体１より構成されている。なお、本実施の形態におけるウェットティッシュ１３は、１枚を取り出すと、次の１枚の一部が取り出し易い状態になるようポップアップされるように周知の方法により積層されているタイプのものである。
【００４０】
蓋体１は、外蓋体１′と、断熱材１０と、ヒーター４と、内蓋体１″とを積層することにより構成されている。断熱材１０、ヒーター４、内蓋体１″の各中央部には、外蓋体１′の中央部に設けられたティッシュ取り出し口３２に連通する開口部が設けられており、加熱装置の本体Ｅに収納されたウェットティッシュ１３の取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュ１３を取り出すことができるよう、開閉動作可能に外蓋体１′の一部に枢着されたティッシュ取り出し口蓋３が設けられている。
【００４１】
収納箱２内には、２つのコイルスプリング１０９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このコイルスプリング１０９は、ウェットティッシュ容器１４を収納箱２に収納する際に、密着板８を介して圧縮変形され、収納箱２に収容されたウェットティッシュ容器１４を、圧縮変形されたコイルスプリング１０９の反発力によりヒーター４を内設する蓋体１の方向に押圧する。ウェットティッシュ容器１４を収納箱２に収納する際に、ウェットティッシュ容器１４を収納箱２に押し込むと、密着板８が押し下げられ、コイルスプリング１０９が収縮する。コイルスプリング１０９の弾性力によりウェットティッシュ容器１４が収納箱２より飛び出すのを防ぐよう蓋体１を上に載せて収納箱２を密閉する。この際にウェットティッシュ容器１４は、ヒーター４を内設する蓋体１と密着板８との間に挟持される。
【００４２】
図１５および図１６は、本実施の形態における加熱手段の電気回路の一例を示すブロック図および電源制御の一例を示したタイムチャートである。電源プラグ７より制御回路４２に電流が供給されており、電源コード１１の一部に直列にヒューズ６が接続されている。制御回路４２は電源部と制御部で構成され、制御部には温度センサ４１およびヒーター４ａ，４ｂが接続されている。この例では、２つのヒーターを用いたが、ヒーターの数は必ずしも２つに限定されるものではない。ヒューズ６は、電源プラグ７とヒーター４との間に設けられ、ヒーター４に過電流が流れるのを防止する。
【００４３】
ヒーター４は、例えばマイカ・クロム・ヒーターから構成されている。制御のし易さから言えば交流よりは直流ヒーターの方がより好適に使用できる。温度センサ４１からの信号はＰＩＤ制御部に入力される。ここでは周知の方法でＰＩＤ制御を行い、ほぼ一定温度に保つような制御を行っている。本実施の形態においては、この温度制御によりヒーター温度を約６０°Ｃに保つようにしている。
なお、このヒーター温度を、約６０°Ｃとするに限らず、所望枚数のティッシュ自体を体温以上、好ましくは、４０°Ｃ〜５０°Ｃに保つような温度に設定することも可能である。
〔第６実施の形態〕
図１７および図１８は、本発明のウェットティッシュの加熱装置の第６実施の形態の横断面図およびヒーター部の上面図である。
【００４４】
加熱装置の本体Ｆは、可撓性を有するウェットティッシュ容器１４に収容されたウェットティッシュ１３を収納する収納箱２と、収納箱２の開口部を覆う蓋体１より構成されている。なお、本実施の形態におけるウェットティッシュ１３は、１枚を取り出すと、次の１枚の一部が取り出し易い状態になるようポップアップされるように周知の方法により積層されているタイプのものである。
【００４５】
蓋体１は、外蓋体１′と、断熱材１０と、ヒーター４と、内蓋体１″とを積層することにより構成されている。断熱材１０、ヒーター４、内蓋体１″の各中央部には、外蓋体１′の中央部に設けられたティッシュ取り出し口３２に連通する開口部が設けられており、加熱装置の本体Ｆに収納されたウェットティッシュ１３の取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュ１３の取り出すことができるよう、開閉動作可能に外蓋体１′の一部に枢着されたティッシュ取り出し口蓋３が設けられている。
【００４６】
ヒーター４は、例えばマイカ・クロム・ヒーターから構成されている。収納箱２内には、２つのコイルスプリング１０９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このコイルスプリング１０９は、ウェットティッシュ容器１４を収納箱２に収納する際に、密着板８を介して圧縮変形され、収納箱２に収容されたウェットティッシュ容器１４を、圧縮変形されたコイルスプリング１０９の反発力によりヒーター４を内設する蓋体１の方向に押圧する。ウェットティッシュ容器１４を収納箱２に収納する際に、ウェットティッシュ容器１４を収納箱２に押し込むと、密着板８が押し下げられ、コイルスプリング１０９が収縮する。コイルスプリング１０９の弾性力によりウェットティッシュ容器１４が収納箱２より飛び出すのを防ぐよう蓋体１を上に載せて収納箱２を密閉する。この際にウェットティッシュ容器１４は、ヒーター４を内設する蓋体１と密着板８との間に挟持される。
【００４７】
図１９および図２０は、本実施の形態における加熱手段の電気回路の一例を示すブロック図および電源制御の一例を示したタイムチャートである。電源プラグ７より制御回路４２に電流が供給されており、電源コード１１の一部に直列にヒューズ６が接続されている。制御回路４２は電源部とＰＷＭ制御部で構成され、ＰＷＭ制御部には温度センサ４１およびヒーター４ａ，４ｂが接続されている。この例では、２つのヒーターを用いたが、ヒーターの数は必ずしも２つに限定されるものではない。ヒューズ６は、電源プラグ７とヒーター４との間に設けられ、ヒーター４に過電流が流れるのを防止する。
【００４８】
ヒーター４は、例えばマイカ・クロム・ヒーターから構成されている。この例では、直流ヒーターの方がより好適に使用できる。温度センサ４１からの信号はＰＷＭ制御部に入力され、周知の方法でＰＷＭ制御を行い、ほぼ一定温度に保つような制御をおこなっている。すなわち、温度センサ４１で検出される温度が予め決められた設定値１に達した時、ヒーター４に供給されるパルス幅を狭くする。この例では、デューティを５０％にしている。これによってヒーター４に供給される電力の平均値が下げられる。さらに、温度が徐々に下降して予め決められた設定値２まで下がったら、ヒーター４に供給されるパルス幅を広くする。
【００４９】
このように、温度が上がり過ぎたら供給電力を下げ、また温度が下がり過ぎたら供給電力を上げるような制御を繰り返すことによってヒーター４をほぼ一定の温度に保つことができる。本実施の形態においては、この温度制御によりヒーター温度を約６０℃に保つようにしている。なお、このヒーター温度を約６０℃とするに限らず、所望枚数のティッシュ自体を体温以上、好ましくは、４０℃〜５０℃に保つような温度に設定することも可能である。
〔第７実施の形態〕
図２１および図２２は、本発明のウェットティッシュの加熱装置の第７実施の形態の横断面図およびヒーター部の上面図である。
【００５０】
加熱装置の本体Ｇは、可撓性を有するウェットティッシュ容器１４に収容されたウェットティッシュ１３を収納する収納箱２と、収納箱２の開口部を覆う蓋体１より構成されている。蓋体１は、外蓋体１′と、断熱材１０と、ヒーター４と、内蓋体１″とを積層することにより構成されている。断熱材１０、ヒーター４、内蓋体１″の各中央部には、外蓋体１′の中央部に設けられたティッシュ取り出し口３２に連通する開口部が設けられており、加熱装置の本体Ｇに収納されたウェットティッシュ１３の取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュ１３を取り出すことができるよう、開閉動作可能に外蓋体１′の一部に枢着されたティッシュ取り出し口蓋３が設けられている。
【００５１】
ティッシュ取り出し口の内側には、ウェットティッシュの湿度を検出するための湿度センサ４６が設けられており、常に周囲の湿度を検出している。この例では、雰囲気の湿度を検出する方法を示したが、ウェットティッシュを直接挟み込み、その導電抵抗を測定するような電導度センサを用いてもよい。さらに、ティッシュ取り出し口蓋３の中央部には薬液補充手段４０を備えている。薬液補充手段４０は、薬液を充てんしておくための薬液リザーバ４４と薬液の注入量を制御するための薬液注入弁４３とから成る。薬液注入弁４３はティッシュ取り出し口蓋３の裏側に設けられており、薬液リザーバ４４に充填されている薬液を、ウェットティッシュに向けて適宜滴下するようになっている。なお、薬液注入弁４３の開閉は、制御回路４２により制御される。
【００５２】
図２３及び図２４は、本実施の形態における薬液制御手段の電気回路の一例を示すブロック図および薬液制御の一例を示したタイムチャートである。電源プラグ７より制御回路４２に電流が供給されており、電源コード１１の一部に直列にヒューズ６が接続されている。制御回路４２は電源部と薬液制御部で構成され、薬液制御部には湿度センサ４６、薬液注入弁４３およびヒーター４ａ，４ｂが接続されている。この例では、２つのヒーターを用いたが、ヒーターの数は必ずしも２つに限定されるものではない。ヒューズ６は、電源プラグ７とヒーター４との間に設けられ、ヒーター４に過電流が流れるのを防止する。
【００５３】
ヒーター４は、例えばＰＴＣヒーターから構成されている。ＰＴＣヒーターは、自己温度制御機能を持っており、常に一定の温度に保っておくことができる。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。また、湿度センサ４６からの信号は薬液制御部に入力される。
【００５４】
湿度による薬液注入弁制御の方法を２例示した。  ［例１］では、湿度センサ４６で検出される湿度が予め決められた設定値２まで下がると、薬液注入弁４３をオープンし、薬液の注入を開始する。すると徐々に湿度が上昇していくが、湿度が予め決められた設定値１に上がると、薬液注入弁４３がクローズされる。すると、薬液の注入が停止する。この動作を繰り返すことによって、ほぼ一定の湿度が保たれる。  ［例２］では、湿度センサ４６で検出される湿度が予め決められた設定値１まで上がったら、薬液注入弁４３の開度を一定量だけ閉じる。一定時間後に再び湿度を検出し、設定値２まで下がったかどうかを判断する。設定値２まで下がっていなければさらに薬液注入弁４３の開度を一定量だけ閉じる。設定値２以下に下がっていれば、薬液注入弁４３の開度を一定量だけ開く。このように、一定時間ごとに湿度のチェックをおこない、それによって薬液注入弁４３の開度を制御することによって、ほぼ一定の湿度を保つことができる。
〔第８実施の形態〕第２５図は本発明のウェットティッシュの加熱装置の第８実施の形態にウェットティッシュ容器１４を収容した際の横断面図、また、第２６図はウェットティッシュ容器１４を収容する前の横断面図である。
【００５５】
加熱装置の本体Ｈは、可撓性を有するウェットティッシュ容器１４に収容されたウェットティッシュ１３を収納する収納箱２と、収納箱２の開口部を覆う蓋体１より構成されている。蓋体１は、外蓋体１′と、断熱材１０と、ヒーター４と、内蓋体１″とを積層することにより構成されている。断熱材１０、ヒーター４、内蓋体１″の各中央部には、外蓋体１′の中央部に設けられたティッシュ取り出し口３２に連通する開口部が設けられており、加熱装置の本体Ｈに収納されたウェットティッシュ１３の取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュ１３を取り出すことができるよう、開閉動作可能に外蓋体１′の一部に枢着されたティッシュ取り出し口蓋３が設けられている。
【００５６】
ヒーター４は、例えばＰＴＣヒーターから構成されており、自己温度制御機能によってほぼ一定温度に保たれるようになっている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。
【００５７】
収納箱２内には、パンタグラフ式のジャッキ５１が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このジャッキ５１は、モーター５２で駆動され密着板８の高さを自由に変えられるようになっている。蓋体１の密着板８と対向する面には、ウェットティッシュ容器１４の厚みを検出してウェットティッシュの残量を知るための残量センサ５３が設けられている。残量センサ５３は、例えば感圧センサによってウェットティッシュ１３の量による押圧力を検出するものでもよいし、光センサや超音波センサなどを用いてもよい。
【００５８】
残量センサ５３からの信号によってウェットティッシュ１３の残量を知ることができるので、これによりジャッキ５１を制御して密着板８の高さを調節し、常にウェットティッシュ容器１４が内蓋体１′に密着するように制御することができる。モーター５２としては、ステッピングモーターのような微小角度の制御できるものが好適に使用できる。また、この例ではパンタグラフ式のジャッキを用いたが、油圧制御式のダンパーや、ステッピング・アクチュエータなど同等の制御をおこなうものも使用できる。
〔第９実施の形態〕
図２７は、本発明のウェットティッシュの加熱装置の第９実施の形態の横断面図である。
【００５９】
加熱装置の本体Ｉは、可撓性を有するウェットティッシュ容器１４に収容されたウェットティッシュ１３を収納する収納箱２と、収納箱２の開口部を覆う蓋体１より構成されている。蓋体１は、外蓋体１′と、断熱材１０と、ヒーター４と、内蓋体１″とを積層することにより構成されている。断熱材１０、ヒーター４、内蓋体１″の各中央部には、外蓋体１′の中央部に設けられたティッシュ取り出し口３０に連通する開口部が設けられており、加熱装置の本体Ｉに収納されたウェットティッシュ１３の取り出し通路を形成している。また、蓋体１の中央部には、クローズ状態において外蓋体１′の中央部に設けられたティッシュ取り出し口３０を密閉でき、かつ、オープン状態において収納箱２に収納されたウェットティッシュ１３を取り出すことができるよう、開閉動作可能に外蓋体１′の一部に枢着されたティッシュ取り出し口蓋３が設けられている。
【００６０】
収納箱２内には、２つのコイルスプリング１０９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このコイルスプリング１０９は、ウェットティッシュ容器１４を収納箱２に収納する際に、密着板８を介して圧縮変形され、収納箱２に収容されたウェットティッシュ容器１４を、圧縮変形されたコイルスプリング１０９の反発力によりヒーター４を内設する蓋体１の方向に押圧する。
【００６１】
ヒーター４は、例えばＰＴＣヒーターから構成されており、自己温度制御機能によってほぼ一定温度に保たれるようになっている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。
【００６２】
ヒーター４には、リレー６１が直列に接続されており、このリレー６１はリミットスイッチ６２でＯＮ／ＯＦＦされるようになっている。このリミットスイッチ６２はウェットティッシュの残量検出の役割をする。すなわち、ウェットティッシュの残量が少なくなってくると密着板８がスプリング１０９の反発力によって次第に上に押し上げられ、蓋体１と密着板８との間隔が狭くなってくる。この間隔が一定以下の距離になると、リミットスイッチ６２がオンとなり、これによってリレー６１がオフとなってヒーター４への電流が遮断される。このようにして、ウェットティッシュの残量が一定値以下になったときを検出してヒーター４の供給電源をオフする電源制御手段を構成することが可能となる。
【００６３】
また、図２８に示した加熱装置の本体Ｉ’のように、蓋体１にスプリング１０９によってヒーター４を取り付けた例でも同様な電源制御手段を構築できる。すなわち、スプリング１０９によってヒータープレート４がウェットティッシュ容器１４を収納箱２の方向へ押し下げるが、ウェットティッシュが少なくなってくるとリミットスイッチ６２がオンとなり、リレー６１がオフとなってヒーター４への電源が遮断される。
〔第１０実施の形態〕
図２９は、本発明のウェットティッシュの加熱装置の第１０実施の形態の横断面図である。
【００６４】
加熱装置の本体Ｊは、可撓性を有するウェットティッシュ容器１４に収容されたウェットティッシュ１３を収納する収納箱２と、収納箱２の開口部を覆うヒータープレート１００より構成されている。ヒータープレート１００は、外蓋体１′と、断熱材１０と、ヒーター４と、内蓋体１″とを積層することにより構成されている。
【００６５】
ヒータープレート１００の中央部には開口部が設けられており、収納箱２に収納されたウェットティッシュ１３の取り出し通路を形成している。ヒーター４は、例えばＰＴＣヒーターから構成されており、自己温度制御機能によりほぼ一定温度に保つようにしている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。さらに、外蓋体１′として、断熱材１０の機能を兼ねるものを使用することで、断熱材１０を省く構成とすることも可能である。なお、収納箱２の縁部には電源コード１１の引出し溝７５を設けている。
【００６６】
図３０は、本実施の形態におけるヒータープレート１００の電気回路の一例を示すものであり、ヒューズ６、ヒーター４、リレー７１は直列に接続されており、電源プラグ７より電流が供給されている。ヒューズ６は、電源プラグ７とヒーター４との間に設けられ、ヒーター４ａに過電流が流れるのを防止する。上記電流回路のヒューズ６、ヒーター４及びリレー７１は、電源コード１１を介して電源プラグ７と接続されている。
【００６７】
また、リレー７１をＯＮ／ＯＦＦするためのプッシュスイッチ７２、抵抗７４、直流電源７３が別の回路として直列に接続されている。ここでは、プッシュスイッチ７２がオンになると、リレー７１がクローズすなわちオンになるようになっている。収納箱２にウェットティッシュ容器１４を収納し、ヒータープレート１００をその上から載せると、ヒータープレート１００の側面に設置されたプッシュスイッチ７２が収納箱２の側壁によって押されてオンとなる。すると、リレー７１がクローズしてヒーター４に電流が供給され、加熱が開始される。
【００６８】
再びヒータープレート１００を収納箱２から出すと、プッシュスイッチ７２がオフとなり、それによってリレー７１がオープンとなって、ヒーター４の電源がオフとなる。したがって、誤ってヒータープレート１００を何か他の物の上に載せてしまったとしても、すでにヒーター１００は冷え始めているため、６０℃以上になることはない。このような機構にすることによって、安全でしかも必要なときだけ電力を供給するので節電の効果もある。
〔第１１実施の形態〕
図３１は、本発明のウェットティッシュの加熱装置の第１１実施の形態の横断面図である。また、図３２は、上記実施の形態のヒーター部の上面図である。
【００６９】
加熱装置の本体Ｋは、可撓性を有するウェットティッシュ容器１４に収容されたウェットティッシュ１３を収納する収納箱２と、収納箱２の開口部を覆う蓋体１より構成されている。蓋体１は、外蓋体１′と、ヒーター４と、内蓋体１″とを積層することにより構成されており、ヒーター４、温度検出部８１、制御部８２及びそれらを接続する電線などの電気部品は内蓋体１″に配置されその上から充填材８３にてモールドされている。これによって、仮に蓋体１の内部に水などが侵入しても、完全な防水構造とすることができる。
【００７０】
ヒーター４、内蓋体１″の各中央部には、外蓋体１′の中央部に設けられたティッシュ取り出し口３２に連通する開口部が設けられており、加熱装置の本体Ｋに収納されたウェットティッシュ１３の取り出し通路を形成している。また、蓋体１の中央部には、クローズ状態において外蓋体１′の中央部に設けられたティッシュ取り出し口３２を密閉でき、かつ、オープン状態において収納箱２に収納されたウェットティッシュ１３を取り出すことができるよう、開閉動作可能に外蓋体１′の一部に枢着されたティッシュ取り出し口蓋３が設けられている。
【００７１】
収納箱２内には、２つのコイルスプリング１０９が取り付けられており、その一端は収納箱底部に、他端はウェットティッシュ容器１４の底面に密着する密着板８に取り付けられている。密着板８の形状は、ウェットティッシュ容器１４の底面の形状とほぼ同一の長方形となっている。このコイルスプリング１０９は、ウェットティッシュ容器１４を収納箱２に収納する際に、密着板８を介して圧縮変形され、収納箱２に収容されたウェットティッシュ容器１４を、圧縮変形されたコイルスプリング１０９の反発力によりヒーター４を内設する蓋体１の方向に押圧する。
【００７２】
ヒーター４は、例えばＰＴＣヒーターから構成されており、自己温度制御機能により温度制御を行い、ほぼ一定温度に保つようになっている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。
【００７３】
図３３乃至図３４は、本実施の形態における加熱手段の電気回路及びタイムチャートの一例を示すものであり、温度検出部８１、制御部８２、ヒーター４ａ及び４ｂとから成り、電源プラグ７より電流が供給されている。制御部８２は制御回路と、ヒーター４ａ及び４ｂにそれぞれ直列に接続された電流検出部８４を具備する。この例では、２つのヒーターを使用した例を示したが、必ずしもヒーターは２つに限定するものではない。
【００７４】
温度検出部８１では、ヒーター４の温度を検出しており、この温度が予め決められた設定値を越えると、制御回路によってヒーター４への電流の供給が遮断される。また、ヒーター４に流れる電流は、電流検出部でモニターされており、電流値が予め決められた設定値を越えると、制御回路によってヒーター４への電流の供給が遮断される。このように、温度及び／またはヒーター電流を検出し、異常な値となった場合に電源をオフにすることで、より安全なシステムを構築することができる。
【００７５】
図３５は、制御部８２の電気回路ブロック図である。温度検出部８１及び電流検出部８４からの信号はそれぞれ増幅器８５によって増幅されＡ／Ｄ変換器８６でディジタル値に変換されて、ワンチップマイコン８７へ入力される。ワンチップマイコンではこれらのデータをもとに演算をおこない、電源のＯＮ／ＯＦＦを制御するための信号を出力する。この電源制御信号は、増幅器８８で増幅され電源制御回路８９へと入力される。電源制御回路８９では、ヒーター４の電源のＯＮ／ＯＦＦを制御する。
〔第１２実施の形態〕
図３６は本発明のウェットティッシュの加熱装置の第１２実施の形態の横断面図、図３７は上記第１２実施の形態のヒーター部の上面図、及び図３８は斜視図である。
【００７６】
加熱装置の本体Ｌは、ウェットティッシュ１３を収容した可撓性を有するウェットティッシュ容器１４に直接装着するヒータープレート１０４とその上面を覆っている断熱材１０により構成されている。ヒータープレート１００は、金属板１０４、ヒーター４ａ及び４ｂ、バイメタルスイッチ５、ヒューズ６、電源コード１１及び電源プラグ７を備えており、上面は断熱材１０で覆われ、人が触っても熱くない温度になっている。なお、この例では２つのヒーターを用いた例を示したが、必ずしもヒーター４は２つに限定されるものではない。  ヒーター４ａ及び４ｂは、例えばマイカ・クロム・ヒーターから構成されており、バイメタルスイッチ５により温度制御を行い、ほぼ一定温度に保つようにしている。本実施の形態においては、この温度制御によりヒーター温度を約６０℃に保つようにしている。なお、このヒーター温度を約６０℃とするに限らず、所望枚数のティッシュ自体を体温以上、好ましくは、４０℃〜５０℃に保つような温度に設定することも可能である。また、温度制御を行う温度スイッチとして、バイメタルスイッチ５に換えて、サーモスタット、もしくは、同等の温度制御を行う電子回路を使用することも可能である。また、ＰＴＣヒーターのように自己温度制御機能を持つヒーターを用いれば、バイメタルスイッチ５は不要となる。
【００７７】
ヒータープレート１００の下面（加熱面）には、粘着テープやマジックテープ（商標）などの貼付テープ９１が設けられており、ウェットティッシュ容器１４の上面（ウェットティッシュを取り出す面）に直接装着する。電源プラグ７を図示しない電源コンセントに差し込むと、ヒータープレート１００に電力が供給されて加熱が開始される。
【００７８】
ウェットティッシュ１３は、１枚１枚層状に積み重ねられており、上方からヒータープレート１００にて加熱されるので、ヒータープレート１００に最も隣接する上の層から下の層に向かって熱が伝わっていくことになる。従って、次に使用される最上層のウェットティッシュ１３が最もよく加熱されることになる。一度に使用されるウェットティッシュ１３が、例えば、５枚だとすれば、上から５層分までが所望の温度に加熱されていればよい。このような構造にすることによって、必要な分のウェットティッシュ１３だけを加熱すればよいので、効率的であり、消費電力も少なくてすむ。
〔第１２実施の形態の変形例〕
図３９に示す如く、上記第１２実施の形態のようにヒータープレート１００の下面に粘着テープを設けるのでなく、ヒータープレート１００の上面部からウェットティッシュ容器１４の側面部にかけてシール９１ａ，９１ｂまたは粘着テープなどで装着する構成とすることも可能である。また、このヒータープレート１００のヒーターとしてＰＴＣヒーターを使用することが可能である。
【００７９】
さらに、上記第１２実施の形態のようにヒータープレート１００の下面に粘着テープを設けるのではなく、ヒータープレート１００の下面とウェットティッシュ容器１４の上面が接触するように、ヒータープレート１００にある程度重量を持たせ、ヒータープレート１００を重みでウェットティッシュ容器１４に押し当てる構成とすることも可能である。
【００８０】
なお、上記第１２実施の形態においては、ヒータープレート１００によるウェットティッシュ容器１４の加熱効率を上げるように、ウェットティッシュ容器１４の上面の約半分程度の包材の厚みを薄くしておくのが好ましい。
〔第１３実施の形態〕図４０は、本発明のウェットティッシュの加熱装置の第１３実施の形態の横断面図である。
【００８１】
加熱装置の本体Ｍは、ヒータープレート１００と、ウェットティッシュ１３を収容した可撓性を有するウェットティッシュ容器１４を収納するウェットティッシュ収納箱２により構成されている。ヒータープレート１００は、金属板１０４、ヒーター４ａ及び４ｂ、バイメタルスイッチ、ヒューズ、電源コード１１及び電源プラグ７を備えており、上面は断熱材１０で覆われ、人が触っても熱くない温度になっている。
【００８２】
ヒーター４ａ及び４ｂは、例えばマイカ・クロム・ヒーターから構成されており、バイメタルスイッチにより温度制御を行い、ほぼ一定温度に保つようにしている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。また、温度制御を行う温度スイッチとして、バイメタルスイッチ５に換えて、サーモスタット、もしくは、同等の温度制御を行う電子回路を使用することも可能である。
【００８３】
ウェットティッシュ収納箱２にウェットティッシュ容器１４を収納し、その上にヒータープレート１００を載せて電源プラグ７を図示しない電源コンセントに差し込むと、ヒータープレート１００に電力が供給されて加熱が開始される。図４１は、上記第１３実施の形態の上面図である。ヒータープレート４の中央部にはウェットティッシュ取り出し用の孔が開けてあり、ウェットティッシュ容器１４の密閉を保つためのシール状のフタ１５をはがしてウェットティッシュ１３を取り出すようになっている。使い終わったら再びこのシールを元に戻しておけば密閉が保たれる。
【００８４】
また、ヒータープレート１００の重量を変更することで、ヒータープレート１００の下面とウェットティッシュ容器１４との間の密着力を調整することも可能である。
〔第１４実施の形態〕
図４２は、本発明のウェットティッシュの加熱装置の第１４実施の形態の斜視図である。
【００８５】
加熱装置の本体Ｎは、ウェットティッシュ１３を収容した可撓性を有するウェットティッシュ容器１４に直接装着するヒータープレート４と、その上面を覆っている断熱材１０とを備えた蓋体１により構成されている。ヒータープレート１００は、ヒーター４ａ、バイメタルスイッチ５、ヒューズ６、電源コード１１及び電源プラグ７を備えており、上面は断熱材１０で覆われ、人が触っても熱くない温度になっている。
【００８６】
ヒーター４ａは、例えばマイカ・クロム・ヒーターから構成されており、バイメタルスイッチ５により温度制御を行い、ほぼ一定温度に保つようにしている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。また、温度制御を行う温度スイッチとして、バイメタルスイッチ５に換えて、サーモスタット、もしくは、同等の温度制御を行う電子回路を使用することも可能である。
【００８７】
ヒータープレート１００の下面（加熱面）には、粘着テープやマジックテープ（商標）などの貼付テープ９１が設けられており、ウェットティッシュ容器１４の上面（ウェットティッシュを取り出す面）に直接装着する。電源プラグ７を図示しない電源コンセントに差し込むと、ヒータープレート４に電力が供給されて加熱が開始される。
【００８８】
蓋体１は、ウェットティッシュ１３の取り出し口を密閉するに蓋１１１が枢着されており、ウェットティッシュ１３の乾燥を防いでいる。また、ヒータープレート１００の重量を変更することで、ヒータープレート１００の下面とウェットティッシュ容器１４との間の密着力を調整することも可能である。
〔第１５実施の形態〕図４３は本発明のウェットティッシュの加熱装置の第１５実施の形態の横断面図、図４４は上記実施の形態のヒーター部の上面図、及び、図４５はその装着方法を示した斜視図である。
【００８９】
加熱装置の本体Ｏは、ウェットティッシュ１３を収容した可撓性を有するウェットティッシュ容器１４に直接装着するヒータープレート１００と、その上面を覆っている断熱材１０とにより構成されている。ヒータープレート１００は、金属板１０４、ヒーター４ａ及び４ｂ、バイメタルスイッチ５、ヒューズ６、電源コード１１及び電源プラグ７を備えており、上面は断熱材１０で覆われ、人が触っても熱くない温度になっている。ヒータープレート４の形状は、図４４乃至図４５に示す如くコの字またはＵ字形状を成しており、挿入し易くなっている。
【００９０】
ヒーター４ａ及び４ｂは、例えばマイカ・クロム・ヒーターから構成されており、バイメタルスイッチ５により温度制御を行い、ほぼ一定温度に保つようにしている。本実施の形態においては、この温度制御によりヒーター温度を約６０℃に保つようにしている。なお、このヒーター温度を、約６０℃とするに限らず、所望枚数のティッシュ自体を体温以上、好ましくは、４０℃〜５０℃に保つような温度に設定することも可能である。また、温度制御を行う温度スイッチとして、バイメタルスイッチ５に換えて、サーモスタット、もしくは、同等の温度制御を行う電子回路を使用することも可能である。なお、本実施の形態では２つのヒーターを用いているが、必ずしもヒーターは２つに限定されるものではない。
【００９１】
ウェットティッシュ容器１４の包装形態は、図４３に示すようなポケット構造を持っており、加熱装置１００を、図４５に示す如く、側面方向からこのポケットに挿入することによってウェットティッシュ容器１４に装着する。
【００９２】
【発明の効果】
叙上のごとく、本発明の加熱装置によれば、ボックスタイプやビニール袋タイプの容器に収容されたウェットティッシュの少なくとも一部を加熱することが可能となる。
【図面の簡単な説明】
【図１】本発明の第１実施の形態に基づくウェットティッシュ加熱装置の断面図である。
【図２】上記第１実施の形態の要部外観斜視図である。
【図３】上記第１実施の形態の電気回路の一例を示すものである。
【図４】上記第１実施の形態の変形例の断面図である。
【図５】上記第１実施の形態のさらなる変形例の要部外観斜視図である。
【図６】本発明の第２実施の形態に基づくウェットティッシュ加熱装置の断面図である。
【図７】本発明の第３実施の形態に基づくウェットティッシュ加熱装置の断面図である。
【図８】上記第３実施の形態の蓋体１に内設されたヒーターの平面図である。
【図９】本発明の第４実施の形態に基づくウェットティッシュ加熱装置の断面図である。
【図１０】上記第４実施の形態の蓋体１に内設されたヒーターの平面図である。
【図１１】上記第４実施の形態における加熱手段の電気回路の一例のブロック部である。
【図１２】上記第４実施の形態における加熱手段の電源制御のタイムチャートである。
【図１３】本発明の第５実施の形態に基づくウェットティッシュ加熱装置の断面図である。
【図１４】上記第５実施の形態の蓋体１に内設されたヒーターの平面図である。
【図１５】上記第５実施の形態における加熱手段の電気回路の一例のブロック部である。
【図１６】上記第５実施の形態における加熱手段の電源制御のタイムチャートである。
【図１７】本発明の第６実施の形態に基づくウェットティッシュ加熱装置の断面図である。
【図１８】上記第６実施の形態の蓋体１に内設されたヒーターの平面図である。
【図１９】上記第６実施の形態における加熱手段の電気回路の一例のブロック部である。
【図２０】上記第６実施の形態における加熱手段の電源制御のタイムチャートである。
【図２１】本発明の第７実施の形態に基づくウェットティッシュ加熱装置の断面図である。
【図２２】上記第７実施の形態の蓋体１に内設されたヒーターの平面図である。
【図２３】上記第７実施の形態における加熱手段の電気回路の一例のブロック部である。
【図２４】上記第７実施の形態における加熱手段の電源制御のタイムチャートである。
【図２５】本発明の第８実施の形態に基づくウェットティッシュ加熱装置のウェットティッシュ容器収納時の断面図である。
【図２６】上記第８実施の形態のウェットティッシュ加熱装置のウェットティッシュ容器収納前の断面図である。
【図２７】本発明の第９実施の形態に基づくウェットティッシュ加熱装置の断面図である。
【図２８】上記第９実施の形態のウェットティッシュ加熱装置の変形例の断面図である。
【図２９】本発明の第１０実施の形態に基づくウェットティッシュ加熱装置の断面図である。
【図３０】上記第１０実施の形態におけるヒータープレートの電気回路のブロック図である。
【図３１】本発明の第１１実施の形態に基づくウェットティッシュ加熱装置の断面図である。
【図３２】上記第１１実施の形態の蓋体１に内設されたヒーターの平面図である。
【図３３】上記第１１実施の形態における加熱手段の電気回路の一例のブロック部である。
【図３４】上記第１１実施の形態における加熱手段の電源制御のタイムチャートである。
【図３５】上記第１１実施の形態における制御部の電気回路のブロック部である。
【図３６】本発明の第１２実施の形態に基づくウェットティッシュ加熱装置の断面図である。
【図３７】上記第１２実施の形態のヒータープレートの平面図である。
【図３８】上記第１２実施の形態のウェットティッシュ加熱装置の斜視図である。
【図３９】上記第１２実施の形態のウェットティッシュ加熱装置の変形例の断面図である。
【図４０】本発明の第１３実施の形態に基づくウェットティッシュ加熱装置の断面図である。
【図４１】上記第１３実施の形態に基づくウェットティッシュ加熱装置の上面図である。
【図４２】本発明の第１４実施の形態に基づくウェットティッシュ加熱装置の斜視図である。
【図４３】本発明の第１５実施の形態に基づくウェットティッシュ加熱装置の断面図である。
【図４４】上記第１５実施の形態のヒーターの平面図である。
【図４５】上記第１５実施の形態のウェットティッシュ加熱装置の斜視図である。
【符号の説明】
１  蓋体
１’  外蓋体
１”  内蓋体
２  収納箱
３  ウェットティッシュ取り出し口蓋
４  ヒーター
５  バイメタルスイッチ
６  ヒューズ
７  電源プラグ
８  密着板
９  スポンジ
１０  断熱材
１１電源コード
１３  ウェットティッシュ
１４  ウェットティッシュ容器
２０、１２０  薬液補充パック
２１、１２１  薬液リザーバ
２２、１２２  薬液伝達管
３１  薬液還元用テーパ
３２  テッシュ取り出し口
４１  温度センサ
４２  制御回路
４３  薬液注入弁
４４  薬液リザーバ
４６  湿度センサ
５１  ジャッキ
５２  モータ
５３  残量センサ
６１  リレー
６２  リミットスイッチ
７１  リレー
７２  プッシュスイッチ
７３  直流電源
７４  抵抗
８１  温度検出部
８２  制御部
８３  充填材
８４  電流検出部
９１  貼付テープ
１０９  コイルスプリング
【図１】
0003574418.tif 000002
【図２】
0003574418.tif 000003
【図３】
0003574418.tif 000004
【図４】
0003574418.tif 000005
【図５】
0003574418.tif 000006
【図６】
0003574418.tif 000007
【図７】
0003574418.tif 000008
【図８】
0003574418.tif 000009
【図９】
0003574418.tif 000010
【図１０】
0003574418.tif 000011
【図１１】
0003574418.tif 000012
【図１２】
0003574418.tif 000013
【図１３】
0003574418.tif 000014
【図１４】
0003574418.tif 000015
【図１５】
0003574418.tif 000016
【図１６】
0003574418.tif 000017
【図１７】
0003574418.tif 000018
【図１８】
0003574418.tif 000019
【図１９】
0003574418.tif 000020
【図２０】
0003574418.tif 000021
【図２１】
0003574418.tif 000022
【図２２】
0003574418.tif 000023
【図２３】
0003574418.tif 000024
【図２４】
0003574418.tif 000025
【図２５】
0003574418.tif 000026
【図２６】
0003574418.tif 000027
【図２７】
0003574418.tif 000028
【図２８】
0003574418.tif 000029
【図２９】
0003574418.tif 000030
【図３０】
0003574418.tif 000031
【図３１】
0003574418.tif 000032
【図３２】
0003574418.tif 000033
【図３３】
0003574418.tif 000034
【図３４】
0003574418.tif 000035
【図３５】
0003574418.tif 000036
【図３６】
0003574418.tif 000037
【図３７】
0003574418.tif 000038
【図３８】
0003574418.tif 000039
【図３９】
0003574418.tif 000040
【図４０】
0003574418.tif 000041
【図４１】
0003574418.tif 000042
【図４２】
0003574418.tif 000043
【図４３】
0003574418.tif 000044
【図４４】
0003574418.tif 000045
【図４５】
0003574418.tif 000046